(57)【要約】【課題】後処理装置の用紙排出口の位置が高くなることにより、後処理装置の占有スペースが大きくなるという問題や、複数の後処理装置を備えた画像形成システムにおける後段の後処理装置における搬送安定性が低下するという問題を解決する。【解決手段】搬送方向に傾斜した用紙支持台により形成される第１搬送路に対して、前記用紙支持台の中間位置において、前記第１搬送路交叉する第２搬送路を設け、切換ゲートにより前記第１搬送路又は前記第２搬送路を選択する。【選択図】図４
2010058855.tif 000002
【特許請求の範囲】
【請求項１】
搬送方向に傾斜した用紙支持台、
該用紙支持台の上向き面に用紙を供給する給紙手段及び、
前記用紙支持台により形成される第１搬送路の搬送方向下流に配置された用紙処理部を有する後処理装置において、
前記用紙支持台は上部支持台及び下部支持台からなるとともに、
前記上部支持台と前記下部支持台との間において前記第１搬送路と交叉し、前記用紙支持台を中心として、前記給紙手段が配置された給紙側と反対の側に設けられた第２搬送路及び、
用紙を前記第１搬送路から前記用紙処理部に搬送するか、用紙を前記第２搬送路に搬送するかを選択する切換ゲートを有することを特徴とする後処理装置。
【請求項２】
前記用紙支持台上に複数枚の用紙を集積するストッパを有することを特徴とする請求項１に記載の後処理装置。
【請求項３】
前記ストッパに突き当たって停止した用紙を整合する整合部材を有し、該整合部材は、前記切換ゲートが前記第２搬送路を選択したときに、前記切換ゲートを支持する位置に移動することを特徴とする請求項２に記載の後処理装置。
【請求項４】
前記用紙処理部は、製本装置を有することを特徴とする請求項１〜３のいずれか１項に記載の後処理装置。
【請求項５】
請求項１〜３のいずれか１項に記載の後処理装置からなる第１後処理装置、用紙に画像を形成し、前記第１後処理装置に用紙を送り込む画像形成装置及び前記第１後処理装置から用紙を受け取り、用紙に対する処理を行う第２後処理装置を備え、
前記画像形成装置において用紙に画像を形成し、前記第１後処理装置の前記第１搬送路を選択して、前記第１後処理装置において用紙処理を行い、前記第１後処理装置から用紙を排出する第１モード及び、
前記画像形成装置において用紙に画像を形成し、前記第１後処理装置の前記第２搬送路を選択して、前記第１後処理装置において用紙処理を行うことなく用紙を前記第１後処理装置から前記第２後処理装置に搬送し、前記第２後処理装置から用紙を排出する第２モードを有することを特徴とする画像形成システム。
【発明の詳細な説明】
【技術分野】
【０００１】
本発明は、画像が形成された用紙に対して処理を施す後処理装置及び後処理装置を有する画像形成システムに関する。
【背景技術】
【０００２】
高速の処理能力を有する画像形成装置に後処理装置を連結し、画像形成された用紙に対して様々な後処理と行うことにより、多様な形態でプリントを出力することができる画像形成システムが普及している。
【０００３】
このような画像形成システムに用いられる後処理装置としては、複数枚の用紙を集積した後に処理を行うために、傾斜した用紙支持台を備えたものが多い。
【０００４】
特許文献１では、画像形成装置から送り込まれた用紙を傾斜したスタッカユニット上で集積し、綴じ処理を行っている。
【０００５】
特許文献１の後処理装置では、スタッカユニット上の用紙に対する綴じ処理の他に、スタッカユニットの下方に配置された中折りユニットにおいて中折りを行い、また、スタッカユニットの上方をスルーして用紙を排出している。
【０００６】
特許文献１では、更に、後処理装置の上面に設けられた排紙トレイに用紙を排出している。
【０００７】
特許文献２では、後処理装置内に３系統の用紙搬送路を設け、最も上方の搬送路を用いて後処理装置の上面に設けられた排紙トレイに処理が施されない用紙を排出し、
中間の搬送路からは、傾斜したコンパイルトレイ７に用紙を排出、集積しステープら１３により綴じ処理を行った後に、中間の排紙トレイ１４に排出している。
【０００８】
最も下の搬送路からは、中綴じトレイＮＴＳに用紙を搬送し、中綴じ処理後に下方の排紙トレイに用紙を排出している。
【０００９】
特許文献３には、傾斜した用紙集積部に用紙を集積して用紙束を作成し、用紙束に対して製本処理する後処理装置が開示されている。
【００１０】
特許文献３の後処理装置では、処理を施さない用紙を後処理装置上面の排紙トレイに排出し、製本処理した用紙を下部の排紙口から排出している。
【特許文献１】特開２００２−１６０８６４号公報
【特許文献２】特開２００６−１１１４０５号公報
【特許文献３】特開２００８−５５６７１号公報
【発明の開示】
【発明が解決しようとする課題】
【００１１】
多くの後処理装置は、２個の排紙トレイを備えている。
【００１２】
一つは、処理を施さない用紙が排出されるものであり、他は処理が施された用紙が排出されるものである。
【００１３】
処理が施された用紙が排出される排紙トレイはメイントレイとして用いられ、綴じ処理や折り処理が施された用紙が排出される他に、処理が施されない用紙でも大量の用紙が排出される場合は、メイントレイが用いられる。
【００１４】
メイントレイは昇降機能を有し、排出される用紙の量に応じて排紙トレイが後処理装置の側壁に沿って下降する構成となっている場合が多い。
【００１５】
傾斜した用紙支持台を有する後処理装置において、処理が施されない大量の用紙を前記の昇降機能を有するメイントレイに排出する場合には、用紙は用紙支持台を通過するのみであり、用紙支持台の上方を通過して排紙トレイに排出される。
【００１６】
特許文献１では、このような用紙排出経路の構成が採られている。
【００１７】
特許文献２、３は処理が施されない大量の用紙を排出する機能を有していない。
【００１８】
即ち、特許文献２では、処理が施されない用紙は、傾斜した用紙支持台とは別に設けられた搬送路を経て後処理装置の上面に設けられた排紙トレイに排出される。この排紙トレイは固定であり、用紙の量に応じて昇降する機能を有していないために、大量の用紙を収容することができない。
【００１９】
このような理由から、後処理装置において、大量の用紙を処理無しで排出するには、特許文献１の搬送経路の構成、即ち、傾斜した用紙支持台の上方を通過させて用紙を排出する搬送経路の構成が好ましい。
【００２０】
しかるに、このような搬送経路においては、傾斜した用紙支持台の上方に搬送路が設けられるために、排出口の位置が高くなるという問題がある。
【００２１】
排紙トレイは、排出方向下流側が高く、上流側が低い傾斜した排紙面を有するが、排紙口が高い場合、排紙トレイが装置の上方に突き出る場合が生じ、装置の占有スペースが増大して望ましくない。
【００２２】
また、傾斜した用紙支持台を有する後処理装置を第１後処理装置とし、該第１後処理装置の下流に第２後処理装置が連結される場合があるが、この場合、第１後処理装置の排紙口の位置が高いと、第２後処理装置において、用紙を下方に搬送することが必要になる。
【００２３】
そして、用紙を下方に搬送するために、急角度で下方に向く搬送経路が形成されることになり、第２後処理装置内での搬送安定性が低下するという問題がある。
【００２４】
本発明はこのような従来の後処理装置における問題を解決することを目的とする。
【課題を解決するための手段】
【００２５】
前記目的は下記の発明により達成される。
【００２６】
１．搬送方向に傾斜した用紙支持台、
該用紙支持台の上向き面に用紙を供給する給紙手段及び、
前記用紙支持台により形成される第１搬送路の搬送方向下流に配置された用紙処理部を有する後処理装置において、
前記用紙支持台は上部支持台及び下部支持台からなるとともに、
前記上部支持台と前記下部支持台との間において前記第１搬送路と交叉し、前記用紙支持台を中心として、前記給紙手段が配置された給紙側と反対の側に設けられた第２搬送路及び、
用紙を前記第１搬送路から前記用紙処理部に搬送するか、用紙を前記第２搬送路に搬送するかを選択する切換ゲートを有することを特徴とする後処理装置。
【００２７】
２．前記用紙支持台上に複数枚の用紙を集積するストッパを有することを特徴とする前記１に記載の後処理装置。
【００２８】
３．前記ストッパに突き当たって停止した用紙を整合する整合部材を有し、該整合部材は、前記切換ゲートが前記第２搬送路を選択したときに、前記切換ゲートを支持する位置に移動することを特徴とする前記２に記載の後処理装置。
【００２９】
４．前記用紙処理部は、製本装置を有することを特徴とする前記１〜３のいずれか１項に記載の後処理装置。
【００３０】
５．前記１〜３のいずれか１項に記載の後処理装置からなる第１後処理装置、用紙に画像を形成し、前記第１後処理装置に用紙を送り込む画像形成装置及び前記第１後処理装置から用紙を受け取り、用紙に対する処理を行う第２後処理装置を備え、
前記画像形成装置において用紙に画像を形成し、前記第１後処理装置の前記第１搬送路を選択して、前記第１後処理装置において用紙処理を行い、前記第１後処理装置から用紙を排出する第１モード及び、
前記画像形成装置において用紙に画像を形成し、前記第１後処理装置の前記第２搬送路を選択して、前記第１後処理装置において用紙処理を行うことなく用紙を前記第１後処理装置から前記第２後処理装置に搬送し、前記第２後処理装置から用紙を排出する第２モードを有することを特徴とする画像形成システム。
【発明の効果】
【００３１】
本発明においては、処理を施さない用紙を排出するための搬送路が、傾斜した用紙支持台の中間部に設けられているので、後処理装置の用紙排紙口の高さが低くなる。
【００３２】
したがって、後処理装置の占有スペースの増大を避けることができるとともに、複数の後処理装置を備えた画像形成システムにおいて、第１後処理装置の下流に連結された第２後処理装置内における用紙の搬送安定性が向上する。
【発明を実施するための最良の形態】
【００３３】
〔画像形成システムの構成〕
図１は本発明の実施の形態に係る画像形成システムの全体を示す図である。
【００３４】
画像形成システムは、電子写真方式により用紙に画像を形成する画像形成装置Ａ、画像形成装置Ａから用紙を受け取って、折り処理をするか又は折り処理せずに排出する後処理装置Ｂ、後処理装置Ｂからの用紙を受け取って製本処理するか又は製本処理をせずに排出する第１後処理装置としての後処理装置Ｃ、後処理装置Ｃから排出された用紙を排出するか、又は後処理装置Ｃから排出された冊子を集積する中継・集積部Ｄ及び中継・集積部Ｄからの用紙を受け取って綴じ処理するか又は綴じ処理しないで排出する第２後処理装置としての後処理装置Ｅからなる。
【００３５】
図２は画像形成装置Ａの概略構成を示す図である。
【００３６】
画像形成装置Ａは、画像形成部Ａ１、自動原稿搬送装置Ａ２、画像読取部Ａ３及び用紙供給部Ａ４等を備えている。
【００３７】
画像形成部Ａ１は回転する感光体１、帯電手段２、像露光手段３、現像手段４、転写手段５Ａ、除電手段５Ｂ及びクリーニング手段６及び定着装置８を有する。帯電手段２、像露光手段３、現像手段４、転写手段５Ａ、除電手段５Ｂ及び、クリーニング手段６は図示のように感光体１の周囲に配置されている。
【００３８】
自動原稿搬送装置Ａ２は、積載された原稿を１枚ずつ画像読取位置に搬送する。
【００３９】
画像読取部Ａ３は、自動原稿搬送装置Ａ２により搬送される原稿又は原稿台９に載置原稿を読み取って画像信号を生成する。
【００４０】
用紙供給部Ａ４は、給紙トレイ７Ａ、７Ｂ及び給紙搬送路７Ｃを有する。
【００４１】
給紙トレイ７Ａは画像記録用の用紙Ｓを収納し、給紙トレイ７Ｂは表紙用の用紙Ｓを収納する。
【００４２】
画像形成装置Ａは、裏面画像形成用の搬送路９Ｂ及び排紙部９Ｃを有する。
【００４３】
感光体１上には、帯電手段２、像露光手段３及び現像手段４によりトナー像が形成されるとともに、給紙トレイ７Ａからは、用紙Ｓが送り出されて、転写手段５Ａにより、用紙Ｓにトナー像が転写される。
【００４４】
トナー像が転写された用紙Ｓは定着装置８を通過して定着処理された後に排紙部９Ｃから排出される。
【００４５】
両面画像形成においては、第１面にトナー像が形成された用紙Ｓが搬送路９Ｂに搬送され再給紙されて裏面にトナー像が形成される。
【００４６】
裏面にトナー像が形成されて用紙Ｓは定着装置８を通過して定着処理された後に排紙部９Ｃから排出される。
【００４７】
図３は後処理装置Ｂ、Ｃ、Ｅ及び中継・集積部Ｄの概略構成を示す。
【００４８】
後処理装置Ｂは、画像形成装置Ａから排出された用紙Ｓに対して折り処理を行った後、又は処理を行うことなく後処理装置Ｃに用紙Ｓを送り込む。
【００４９】
後処理装置Ｂは、用紙Ｓを水平に搬送する水平搬送路１０１、用紙Ｓを下方にほぼ垂直搬送する下方搬送路１０２及び用紙Ｓを上方に搬送し、搬送の過程で用紙Ｓに対して、二つ折り、三つ折り、Ｚ折り等各種の折り処理を行う折り部１０３を有する。
【００５０】
画像形成装置Ａから後処理装置Ｂに搬入された用紙Ｓは、水平搬送路１０１を搬送されて後処理装置Ｃに送り込まれるか又は、下方搬送路１０２及び折り部１０３に搬送されて、折り処理された後に、後処理装置Ｃに送り込まれる。
【００５１】
後処理装置Ｃは、用紙Ｓを左斜め上方に搬送する記録紙搬送路２０１及び用紙Ｓを下方に搬送する表紙搬送路２０２を有する。
【００５２】
後処理装置Ｂは用紙処理部として製本装置を有する。
【００５３】
前記製本装置は、用紙集積部２１３、糊付部２１５、表紙接合部２１６、表紙収納部２１７、表紙給紙部２１８等を有する。
【００５４】
後処理装置Ｂから搬入された記録紙としての用紙Ｓは記録紙搬送路２０１を搬送され、用紙反転部２１１において、走行方向が反転し、用紙集積部２１３に集積される。
【００５５】
冊子を形成する枚数の用紙Ｓが用紙集積部２１３に集積された段階で、用紙集積部２１３が回転して垂直状態になり、垂直状態の用紙束の下面に、糊付部２１５において、糊付けされ、表紙接合部２１６において、表紙が用紙束に接合される。
【００５６】
表紙用の用紙Ｓは表紙収納部２１７から表紙給紙部２１８を経て表紙接合部２１６に供給されるか又は画像形成装置Ａから下方搬送路２０２を経て表紙接合部２１６に供給される。
【００５７】
画像形成装置Ａの給紙トレイ７Ｂには表紙用の用紙Ｓが収納されており、画像形成装置Ａにおいて、給紙トレイ７Ｂかた供給された用紙にトナー像が形成された場合には、画像形成装置Ａから排出された用紙Ｓは下方搬送路２０２に搬送される。
【００５８】
中継・集積部Ｄは、冊子集積部３０１及び搬送路３０３を有する。
【００５９】
中継・集積部Ｄ内には、冊子が積載される台車３０２が収納されている。後処理装置Ｃから排出され冊子は冊子集積部３０１に集積されるが、所定量の冊子が集積されると自動的に台車３０２に冊子が搬送される。
【００６０】
台車３０２を中継・集積部Ｄから引き出すことにより、冊子が取り出される。
【００６１】
後処理装置Ｃから排出され、中継・集積部Ｄに搬入された用紙Ｓは、搬送路３０３を左下方に搬送される。
【００６２】
後処理装置Ｅは、用紙Ｓに対して綴じ処理を行うステイプラ４０３を有する。
【００６３】
後処理装置Ｅにおいては、用紙Ｓを上方の搬送路４０１を経て処理を行うことなく固定排紙トレイ４０５に排出するか、用紙Ｓを下方の搬送路４０２を経て昇降排紙トレイ４０６に排出するか又は用紙Ｓを、搬送路４０２を経て中間スタッカ４０４に搬送して集積し、ステイプラ４０３により綴じ処理を行った後に、昇降排紙トレイ４０６に排出するかが行われる。
【００６４】
固定排紙トレイ４０５に排出するモードは、ハガキや厚紙等の特殊紙の場合に選択される。
【００６５】
通常の用紙Ｓの場合は、綴じ処理のない場合でも、昇降排紙トレイ４０６への排出モードが選択される。
〔搬送路の切換〕
後処理装置Ｃは用紙反転部２１１を有する。図４〜６を参照して用紙反転部２１１を説明する。図４は用紙反転部２１１を示し、図５は、図４における矢印Ｗ方向から見た切換ゲート２２７の平面図、図６は切換ゲート２２７及び整合部材２２９の側面図である。
【００６６】
用紙反転部２１１には、図４において右下がり、即ち、搬送方向前方に向かって下がる傾斜した板状の用紙支持台２２１Ａ、２２１Ｂが配置され、用紙支持台２２１Ａと用紙支持台２２１Ｂのとの間の空間に切換ゲート２２７が配置される。
【００６７】
用紙支持台２２１Ａは、切換ゲート２２７が配置された空間の上方に位置して上部支持台を構成し、用紙支持台２２１Ｂは、切換ゲート２２７が配置された空間の下方に位置して下部支持台を構成する。
【００６８】
２２０は図３における搬送路２０１の最下流部に配置された搬送ローラ対であり、用紙反転部２１１に用紙を搬入する給紙手段を構成する。
【００６９】
用紙支持台２２１Ａ、２２１Ｂにより形成される第１搬送路ＲＡは、用紙Ｓが図の右下方に走行する搬送路である。
【００７０】
第１搬送路ＲＡを経て用紙集積部２１３（図３参照）に用紙が搬送される。第１搬送路ＲＡにおいては、ローラ２２２とローラ２２５及び搬送ローラ対２２６により用紙Ｓが搬送される。
【００７１】
ローラ２２２はローラ２２５に接触・離間し、ベルト２２４を介してローラ２２３により駆動される。
【００７２】
用紙反転部２１１には、用紙Ｓの用紙反転部２１１への進入側と反対側に形成され、用紙支持台２２１Ａ、２２１Ｂにより形成される第１搬送路ＲＡに交叉する第２搬送路ＲＢがガイド２３０により形成される。
【００７３】
２２９は、用紙搬送方向に直交する搬送幅方向に往復移動して用紙Ｓを搬送幅方向に整合する整合部材、２３１は、用紙Ｓを停止させて、用紙支持台２２１Ａ、２２１Ｂ上に複数枚集積するストッパである。
【００７４】
整合部材２２９は図６に示すように、その用紙を整合する部分が切換ゲート２２７の上方に位置し、切換ゲート２２７が搬送路ＲＡを選択する状態では、切換ゲート２２７に衝突することなく搬送幅方向Ｘに移動できるように構成されている。
【００７５】
第２搬送路ＲＢの延長である中継・集積部Ｄには搬送ローラ対２２８が配置される。
【００７６】
切換ゲート２２７は搬送ローラ対２２０により搬送路２０１（図３参照）から排出された用紙Ｓを第１搬送路ＲＡ又は第２搬送路ＲＢにガイドする。
【００７７】
次に、図７〜図９を参照して、第１搬送路ＲＡ又は第２搬送路ＲＢを選択して用紙Ｓを搬送する搬送路の切換について説明する。
【００７８】
第１搬送路ＲＡは、用紙を製本処理するモードにおいて選択され、第２搬送路ＲＢは第２後処理装置Ｃにおいて処理を行うことなく、後段の後処理装置へと用紙Ｓを搬送するモードにおいて選択される。
【００７９】
図７は用紙Ｓを第１搬送路ＲＡへとガイドする用紙反転部２１１の状態を示す。
【００８０】
切換ゲート２２７は図示のように、用紙支持台２２１Ａ、２２１Ｂのガイド面に沿ったガイド面を形成する回転位置に設定されている。なお、切換ゲート２２７は図示しないモータにより駆動されて軸２２７Ａを中心に回転する。
【００８１】
搬送路２０１（図３参照）から排出された用紙Ｓは、用紙支持台２２１Ａに沿って左上方に移動し、搬送ローラ２２０（図４参照）を後端が離れると、用紙Ｓは自重で用紙支持台２２１Ａ、２２１Ｂ上を落下する。
【００８２】
センサＳＥ（図４参照）により用紙Ｓの後端が検知され、センサＳＥの用紙後端検知信号に基づいて、搬送ローラ２２２が点線で示す位置に移動してローラ２２５に接触する。
【００８３】
ローラ２２２は用紙Ｓを搬送する駆動ローラであり、ローラ２２５はウレタン樹脂からなり、用紙Ｓに軽圧接する。
【００８４】
ローラ２２２は、用紙Ｓを用紙反転部２１１に搬入する段階では、実線の位置に設定されており、用紙Ｓはローラ２２２の下方を通過する。
【００８５】
搬入後、用紙Ｓが用紙支持台２２１Ａ上を落下する段階、即ち、用紙Ｓの後端（右端）が搬送ローラ対２２０を離れた段階では、ローラ２２２は点線で示す位置に変位し、ローラ２２５に接触し、用紙Ｓを搬送する。
【００８６】
このように、ローラ２２２は１枚の用紙Ｓが搬入される毎に、実線位置と点線位置とに変位する。
【００８７】
用紙支持台２２１Ａ上を落下する用紙Ｓはローラ２２２、２２５により形成された搬送ローラ対及び搬送ローラ対２２６により搬送される。
【００８８】
この用紙搬送において、ストッパ２３１は用紙Ｓが突き当たる実線で示す位置と点線で示す退避位置とに変位する。
【００８９】
図３の用紙集積部２１３は、図示のように傾斜した用紙集積位置と、垂直な糊付け置とに回転する。用紙集積部２１３が図示の用紙集積位置にあるときは、用紙の集積が可能であるので、用紙反転部２１１では、搬入された用紙Ｓを止めることなく搬送して用紙集積部２１３に送り込む。
【００９０】
この場合、ストッパ２３１は点線の位置に退避しており、用紙Ｓは第１搬送路ＲＡを経て用紙集積部２１３に送り込まれる。
【００９１】
用紙集積部２１３が糊付位置にあるときは、用紙集積部２１３に用紙Ｓを送ることができない。
【００９２】
この場合、ストッパ２３１は実線の位置に設定され、用紙反転部２１１に搬入される用紙Ｓを集積する。
【００９３】
図８は折り処理された用紙Ｓを搬送する場合の用紙反転部２１１を示す。
【００９４】
折り処理された用紙を搬送するモードにおいては、切換ゲート２２７は、図７の状態から反時計方向に僅かに回転し、その用紙ガイド面が用紙支持台２２１Ｂの用紙ガイド面よりも上となる位置に設定される。
【００９５】
これにより折り処理された用紙Ｓが用紙支持台２２１Ｂの先端に引っかかるのが防止される。
【００９６】
図９は第２搬送路ＲＢが選択された用紙反転部２１１の状態を示す。
【００９７】
切換ゲート２２７は図７、８に示す状態から反時計方向回転して、用紙支持台２２１Ｂとの間を大きく開ける。
【００９８】
搬送ローラ対２２０（図４参照）により搬送された用紙Ｓは切換ゲート２２７の下面によりガイドされて第２搬送路ＲＢへと搬送される。
【００９９】
図９では、ローラ２２２がローラ２２５に接触しており、用紙Ｓを第２搬送路ＲＢへと搬送する。
【０１００】
図９に示す状態に設定された用紙反転部２１１により、用紙Ｓは第２後処理装置Ｃから、中継・集積部Ｄに送り込まれる。
【０１０１】
整合部材２２９は、ストッパ２３１が図７の実線位置に設定されて用紙Ｓを集積する場合に、１枚の用紙Ｓが用紙反転部２１１に搬入される毎に、搬送幅方向に１往復動作して用紙Ｓを整合する。
【０１０２】
また、整合部材２２９は図７、８、９に示す状態での用紙搬送において、それぞれ異なった作動をする。
【０１０３】
整合部材２２９の動作について、図７〜９を参照して説明する。
【０１０４】
用紙Ｓを第１搬送路ＲＡに搬送する場合であって、ストッパ２３１により用紙Ｓを停止させ集積する場合には、図７（ｂ）に示すように整合部材２２９が作動して用紙Ｓを整合する。
【０１０５】
即ち、用紙Ｓが用紙反転部２１１に搬入され、センサＳＥが用紙の後端を検知した所定時間後に整合部材２２９は図７（ｂ）のホームポジション２２９１から搬送幅方向Ｘに整合位置２２９２まで移動して用紙Ｓの側縁を押して用紙Ｓを整合する。
【０１０６】
ＣＬはセンターラインであり、搬送幅方向Ｘの両端位置に整合部材２２９が設けられており、前記の動作を行う。
【０１０７】
前記の整合動作は用紙反転部２１１に用紙Ｓが搬入される毎に実行される。
【０１０８】
図８においては、整合部材２２９は図８（ｂ）のホームポジション２２９１にあり移動しない。
【０１０９】
即ち、折り処理された用紙Ｓ対しては、整合処理が実行されない。
【０１１０】
図９においては、整合部材２２９は図９（ｂ）のホームポジション２２９１から位置２２９３に移動する。図９（ａ）に示すように、切換ゲート２２７の先端は、整合部材２２９の上方にまで回転する。
【０１１１】
したがって、図９（ｂ）に示すように整合部材２２９は切換ゲート２２７の下側に潜り込む。
【０１１２】
これによって、切換ゲート２２７は整合部材２２９により支持される結果となり、切換ゲート２２７の誤動作が防止される。
【０１１３】
図４に示すように、下流の処理装置に用紙を搬送する第２搬送路ＲＢは、傾斜した第１搬送路ＲＡに対して、搬送２２０が配置された搬入側と反対側で、且つ、第１搬送路ＲＡの中間において第１搬送路ＲＡに交叉するように配置されている。
【０１１４】
このような搬送路の構成により、第２後処理装置において処理を行うことなく、下流の後処理装置に用紙を搬送する場合、傾斜した搬送路ＲＡの最上部まで用紙を上昇させることなく、用紙搬送が可能となる。
【０１１５】
これによって、下流の後処理装置、例えば、中継・集積部Ｄにおいて、強い屈曲部を持った搬送路を形成することなく、用紙搬送が可能となる。
【０１１６】
したがって、後処理装置Ｃの下流の搬送における用紙搬送が安定する。
【図面の簡単な説明】
【０１１７】
【図１】本発明の実施の形態に係る画像形成システムの全体を示す図である。
【図２】画像形成装置Ａの概略構成を示す図である。
【図３】後処理装置Ｂ、Ｃ、Ｅ及び中継・集積部Ｄの概略構成を示す図である。
【図４】用紙反転部２１１を示す図である。
【図５】図４における矢印Ｗ方向から見た切換ゲート２２７の平面図である。
【図６】切換ゲート２２７及び整合部材２２９の側面図である。
【図７】用紙を第１搬送路ＲＡに搬送する場合の、用紙反転部２１１の状態を示す図である。
【図８】折り処理された用紙を第１搬送路ＲＡに搬送する場合の、用紙反転部２１１の状態を示す図である。
【図９】用紙を第２搬送路ＲＢに搬送する場合の、用紙反転部２１１の状態を示す図である。
【符号の説明】
【０１１８】
２１１  用紙反転部
２２１Ａ、２２１Ｂ  用紙支持台
２２７  切換ゲート
２３１  ストッパ
２２９  整合部材
Ａ  画像形成装置
Ｂ、Ｃ、Ｅ  後処理装置
Ｄ  中継・集積部
【図１】
2010058855.tif 000003
【図２】
2010058855.tif 000004
【図３】
2010058855.tif 000005
【図４】
2010058855.tif 000006
【図５】
2010058855.tif 000007
【図６】
2010058855.tif 000008
【図７】
2010058855.tif 000009
【図８】
2010058855.tif 000010
【図９】
2010058855.tif 000011